(57)【特許請求の範囲】
【請求項１】
軸筒内に摺動可能に設けられたシャープペンシル用芯繰り出し機構と、この芯繰り出し機構の後方に設けられたボールペンレフィ−ルと、このボールペンレフィールと上記芯繰り出し機構とを連動せしめる協働手段と、上記ボールペンレフィールを受けているレフィール受けを作動せしめて芯繰り出し機構より芯を突出させるキャップ兼用スタイラスペンとから構成されてなる複合筆記具において、上記シャープペンシル用芯繰り出し機構は、芯タンクとチャックスプリングを有するチャック手段とスリーブとから構成され、上記協働手段は、軸筒内周に固設されたストッパ筒内でレフィール受けと連動する回転カムからなり、さらに上記スタイラスペンは、レフィール受けに被嵌されたキャップとこのキャップに設けられたスタイラスチップとから構成され、キャップの回転操作によってレフィール受けと回転カムとを回転せしめることによって上記芯繰り出し機構を作動せしめてなることを特徴とする複合筆記具。
【請求項２】
取り外し可能な先具を備えた軸筒と、この軸筒内を摺動する芯タンクと、この芯タンクの先部に設けられた繰り出しチャックと、このチャックに遊嵌されたチャックリングと、チャックの外側に設けられたスリーブと、このスリーブの内フランジと芯タンクの先端との間に設けられたチャックスプリングと、芯タンクに当接して芯タンクを前進せしめる回転カムと、ボールペンレフィールを収納しかつ回転カムに回転力を付与するボールペンレフィール受けと、軸筒内に固設されてレフィール受けを位置決めするためのストッパ筒と、レフィール受けに被嵌されてレフィール受けに回転力を与えるキャップ兼用のスタイラスペンとから構成されてなることを特徴とする複合筆記具。
【請求項３】
軸筒内に摺動可能に設けられたシャープペンシル用芯繰り出し機構を構成する芯タンクと、この芯タンクの先部に設けられた繰り出しチャックと、このチャックに遊嵌されたチャックリングと、チャックの外側に設けられたスリーブと、このスリーブの内フランジと芯タンクの先端との間に設けられたチャックスプリングと、芯タンクと当接して芯タンクを前進せしめる回転カムと、 この回転カムに回転力を付与するレフィール受けと、回転カム後方に着脱自在に被嵌されたクリップ付キャップとからなり、キャップ本体の頂部にはスタイラスチップが嵌合される取り付け部が形成されており、上記キャップがレフィール受けを介して回転カムと相対回転不能に連結され、この回転カムに回転力を与えることにより芯が繰り出されるシャープペンシルが一方に形成され、他方にはキャップ兼用のスタイラスペンが形成されてなることを特徴とする複合筆記具。
【請求項４】
軸筒内に摺動可能に設けられたシャープペンシル用芯繰り出し機構を構成する芯タンクと、この芯タンクの先部に設けられた繰り出しチャックと、このチャックに遊嵌されたチャックリングと、チャックの外側に設けられたスリーブと、このスリーブの内フランジと芯タンクの先端との間に設けられたチャックスプリングと、芯タンクと当接して芯タンクを前進せしめる回転カムと、 回転カム後方に着脱自在に被嵌されたクリップ付キャップとからなり、キャップ本体の頂部にはスタイラスチップが嵌合される取り付け部が形成されてなり、回転カムに回転力を与えることにより芯が繰り出されるシャープペンシルが一方に形成され、他方にはキャップ兼用のスタイラスペンが形成されてなり、かつキャップの回転時に、キャップの係止溝に係止される回り止めリブと回転カムの割り溝に嵌合する嵌合リブとが同軸上に設けられることにより、キャップの回転力を回転カムに伝えることができることを特徴とする複合筆記具。
【請求項５】
前記回転カムはキャップが両方向に回転可能とする傾斜カム部を有する請求項１〜４のいずれかに記載の複合筆記具。
【発明の詳細な説明】
【０００１】
【発明の属する技術分野】
この発明は、シャープペンシル、ボールペンおよびスタイラスペン、または２本のボールペンとスタイラスペンを同軸上に配した複合筆記具に関する。
【０００２】
【従来の技術】
従来、この種の複合筆記具としては、シャープペンシルとスタイラスペンとからなるもの、又はボールペンとスタイラスペンとからなるものがあった。しかしながら、シャープペンシル、ボールペン及びスタイラスペン等からなる複合筆記具では、少なくとも２本の筆記体が並列に配されて交互に出没する構造であったので、部品点数が多くかつ構造が複雑となるため、その軸径が小さくて操作が簡単かつ確実なものの実現が困難であった。
【０００３】
【発明が解決しようとする課題】
そこで、この発明は、このような従来の複合筆記具の問題点を解消したものであって、３本の筆記体を同軸上に配して部品点数を少なくすると共に軸径を細くしかつ操作も簡単・確実とした複合筆記具を提供することを目的とする。
【０００４】
さらに、この発明は、スタイラスペンをそれ自体の機能を阻害することなく、ボールペンのキャップとしてかつシャープペンシルの操作部材としても利用でき、またボールペン使用時には先具側にキャップを被嵌することによってスタイラスペンとしても機能できる兼用機能としては極めて有用な複合筆記具を提供することを目的とする。
【０００５】
【課題を解決するための手段】
この発明の複合筆記具は、軸筒内に摺動可能に設けられたシャープペンシル用芯繰り出し機構と、この芯繰り出し機構の後方に設けられたボールペンレフィールと、このボールペンレフィールと上記芯繰り出し機構とを連動せしめる協働手段と、上記ボールペンレフィールを受けているレフィール受けを作動せしめて芯繰り出し機構により芯を突出させるキャップ兼用スタイラスペンとから構成されてなる。
【０００６】
この発明の他の複合筆記具は、軸筒内に摺動可能に設けられた第１のボールペンレフィールと、この第１のボールペンレフィールの後方に設けられた第２のボールペンレフィールと、これらのボールペンレフィールを連動せしめる協働手段と、上記第２のボールペンレフィールを受けているレフィール受けを作動せしめて第１のボールペンレフィールの先端を突出させるキャップ兼用スタイラスペンとから構成されてなる。
【０００７】
【発明の実施の形態】
以下、添付図面を用いてこの発明にかかる複合筆記具の実施の形態について詳述する。
図１は、この発明による複合筆記具を示す縦断面図である。図において、軸筒１は外径が３ｍｍ〜８ｍｍのいわゆる一本軸からなり、この軸筒１内にはシャープペンシル用の芯繰り出し機構が設けられている。
【０００８】
即ち、軸筒１内には、２本の芯が収納された芯タンク２が摺動可能に設けられている。そして、図２〜図４に示すように、芯タンク２の側壁には、前端が円弧状の回り止めリブ２１が長手方向に形成されている。さらに、芯タンク２の後部外壁には、後述する回転カム９と係合する係合リブ２２が形成されている。この係合リブ２２は、幅方向に形成された回り止めリブ２１と、この環状リブ２２１から後方に延出しかつ後端が円弧状の縦リブ２２２とで構成されている。さらに、芯タンク２は前部外周に環状段部２３を有している。
【０００９】
そして、芯タンク２の先部には繰り出しチャック３が圧入・固設されている。なお、この場合チャック３は芯タンク２と連結部材を介して間接的に連結されていても良いことは勿論である。また、このチャック３の先端チャック部には、チャックリング４が遊嵌されており、チャック３の外側の軸筒１内には、前部小径部におねじ５１が形成された金属製のスリーブ５が固設されている。
【００１０】
図５及び図６に示すように、スリーブ５の後端部には割り溝５２が長手方向に形成されている。さらに、このスリーブ５の先端の内フランジと芯タンク２の先端面との間には、チャックスプリング６が設けられ、常時チャック３と共に芯タンク２を後方に付勢している。この状態では、チャックリング４がチャック３の先端チャック部に嵌合して、チャック３が閉じられて芯が保持されている。
【００１１】
さらに、スリーブ５のおねじ５１には先細の先具７が着脱自在に螺合されており、先具７内には芯保持用の摩擦部材としてゴム等のパッキン８が装着されている。また、芯タンク２の後部には、回転操作によって芯タンク２をチャックスプリング６の付勢力に抗して前進せしめるための回転カム９が設けられている。
【００１２】
図７〜図９は、回転操作手段としてキャップ１３が一方向のみ回転可能な回転カム９を示し、この回転カム９は、筒状のカム本体９１と前端のカム部９２とからなり、後端部には矩形の割り溝９３を備え、またこの回転カム９の外周には段部９４が形成されている。なお、図１０は、回転カム９の他の例を示し、このような回転カム９によれば、キャップ１３が両方向に回転可能である。即ち、このような異形カム部９５を有する回転カム９によれば、カム山が複数形成されているのでいずれの方向に回転操作されても回転カム９は芯繰り出し機構を作動せしめることができる。
【００１３】
さらに、金属製のストッパ筒１０が回転カム９の外側の軸筒１の内壁に固設されている。そして、レフィール受け１２が、この回転カム９の後方に設けられており、このレフィール受け１２には後方からボールペンレフィール１１が圧入されている。図１１〜図１３は、このレフィール受け１２を示し、前端に小径の延出部１２１を備え、この延出部１２１の基部からは前方に向かって一対の嵌合リブ１２２が形成されている。
【００１４】
なお、レフィール受け１２のボールペンチップ１１１（図１）の近くには、位置決め用の環状リブ１２３が形成されていて、軸筒１の端面に当接してレフィール受け１２が軸筒１内に退没しないようにしている。そして、環状リブ１２３から後方に向かって後端が円弧状の嵌合リブ１２４（図１１）が連続して形成されている。この嵌合リブ１２４の後端は、後述するキャップ１３の係止溝１３４と嵌合し易いように、円弧状誘導部が形成されている。
【００１５】
さらに、回り止めリブ１２４の後方にはキャップ１３と嵌合するための環状溝１２５が形成されている。他方、環状リブ１２３の前方には軸筒１にレフィール受け１２が着脱可能とするための嵌合溝１２６が形成されている。なお、図１３に示すように、レフィール受け１２の前部内壁には長手方向にレフィール１１を確実に保持するための保持リブ１２７を備えている。さらに、レフィール受け１２の後部側壁には長手方向に両端が円弧状の長溝１２８が形成されている。
【００１６】
また、嵌合溝１２６に対応した軸筒１の周壁部が内方に凹まされて環状の嵌合凸条が形成されている。これらの嵌合溝１２６と嵌合凸条との嵌合構造によって、レフィール受け１２が軸筒１に着脱可能に取り付けられている。さらに、このレフィール受け１２の後部には、クリップ付きのキャップ１３が着脱自在に被嵌されている。
【００１７】
なお、図１４〜図１７はこのクリップ付きキャップ１３を示し、キャップ本体１３１の内壁に９０度間隔で４つの嵌合突部１３２を有し、頂部にはスタイラスチップ１４が嵌合される取付部１３３が形成されている。なお、図中符号１３４レフィール受け１２の後方にある回り止めリブ１２４と係合し、キャップ１３の回転を回転カム９へ伝えることができる係止溝であり、また１３５はキャップ１３に設けられたクリップである。
【００１８】
即ち、キャップ１３はキャップ本体１３１とこのキャップ本体の頂部取付部１３３に圧入されるスタイラスチップ１４とから構成されている。なお、キャップ１３とレフィール受け１２とは、上記したような嵌合構造によって回転方向のロック手段を構成している。
【００１９】
これに対して、レフィール受け１２のボールペンチップの基部外側には嵌合リブ１２４が形成されており、これによりキャップ１３はレフィール受け１２から着脱自在であるが、回転方向にはロックされている。従って、後述するようにキャップ１３を回転操作することによってレフィール受け１２を介して回転カム９によって芯タンク２を前進せしめることができる。
【００２０】
以下、上記実施の形態による複合筆記具の動作について説明する。
まず、シャープペンシルとして使用する場合は、キャップ１３を一方向に回転操作すると、キャップ１３の係止溝１３４にレフィール受け１２の嵌合リブ１２４が係合しているので、キャップ１３と連動してレフィール受け１２が回転される。すると、レフィール受け１２前部の嵌合リブ１２２により、回転カム９の割り溝９３を介して、回転カム９が回転されて、そのカム部９２が芯タンク２の当接部に作用する。ところが、芯タンク２は、スリーブ５の割り溝５２に係止された回り止めリブ２１によって回転を阻止されているので、前進せしめられる。すると、芯タンク２に連結されたチャック３も一緒に前進される。
【００２１】
そして、このチャック３の前進過程において、チャックリング４が先具７の段部に当接してチャック３から外れて、チャック３が開放されて芯が繰り出され、回転操作を止めるとチャック３が後退し、この後退過程でチャックリング４がチャック３に遊嵌してチャック３が閉じて芯が保持される。他方、筆記が終了して芯を軸筒１内に収納したい時には、上記と同様の回転操作をしてチャック３を開放して指先等で押し込めば芯は容易に収納される。
【００２２】
なお、図１０に示されたように、キャップ１３の両方向への回転が操作可能な異形カム部９５を有する場合には、繰り出し操作と逆方向にキャップ１３を回転せしめることによりチャック３を開放して芯を押し込むことができる。
【００２３】
また、シャープペンシルの芯がなくなった時には、キャップ１３及びレフィール受け１２を軸筒１から引き抜き、軸筒１の後端開口から予備芯を装填し、キャップ１３及びレフィール受け１２を軸筒１に嵌め込めば良い。
【００２４】
次に、ボールペンとして使用する場合には、キャップ１３をレフィール受け１２から外し、ボールペンレフィール１４先端のボールペンチップ１１１を露出して、軸筒１の向きを逆にすれば、ボールペンチップ１１１が前に位置されるのでボールペンとしての筆記が可能となる。
【００２５】
なお、キャップ１３とレフィール受け１２との嵌合度は、レフィール受け１２と回転カム９との嵌合度に比べて、キャップ１３を外す際に、いわゆる逆嵌合関係が生じないように、即ちレフィール受け１２が共に引き抜かれないように、前者が後者に比べて小さくしておかなければならないことは勿論である。
【００２６】
さらに、スタイラスペンとしての使用は、キャップ１３の頂部にスタイラスチップ１４が取り付けられているので、キャップ１３をそのまま取り付けた状態にして、キャップ１３が軸筒１の前方に来るようにすれば、そのままスタイラスペンとして使用が可能となる。また、ボールペンとしての使用時には、先具側にキャップを嵌合して取り付けておけば、そのままスタイラスペンとしても使用できる。
【００２７】
この発明の他の実施の形態による複合筆記具としては、軸筒内に摺動可能に設けられた第１のボールペンレフィールと、この第１のボールペンレフィールの後方に設けられた第２のボールペンレフィールと、これらのボールペンレフィールを連動せしめる協働手段と、上記第２のボールペンレフィールを受けているレフィール受けを作動せしめて第１のボールペンレフィールの先端を突出させるキャップ兼用スタイラスペンとから構成されてなる。
【００２８】
なお、上記発明の実施の形態によれば、スタイラスペンをキャップ１３とスタイラスチップ１４との二部品で構成したが、これらを一部品で構成しても良いことは勿論である。
【００２９】
【発明の効果】
この発明の構成は、上記したとおりであるので、３本の筆記体を同軸上に配して部品点数を少なくし軸径を小さくすると共にその操作を簡単・確実とすることができる顕著な効果がある。
【００３０】
さらに、この発明は、スタイラスペンをそれ自体の機能を阻害することなく、ボールペンのキャップとしてかつシャープペンシルまたは他のボールペンの操作部材としても兼用機能を有する効果がある。
【００３１】
またさらに、この発明は、特にシャープペンシルと他の筆記具とを協働手段を介して簡単な構造で作動せしめるようにしたので、シャープペンシルが軸筒内に装填されていても軸筒の外径を極めて小さく設計できる効果もある。
【図面の簡単な説明】
【図１】この発明の実施の態様による複合筆記具の縦断面図である。
【図２】図１の複合筆記具における芯タンクの拡大正面図である。
【図３】図２の芯タンクの拡大平面図である。
【図４】図２の芯タンクの拡大底面図である。
【図５】図１の複合筆記具におけるスリーブの拡大正面図である。
【図６】図５のスリーブの平面図である。
【図７】図１の複合筆記具における回転カムの拡大正面図である。
【図８】図７の回転カムの平面図である。
【図９】図７の回転カムの展開説明図である。
【図１０】図７の回転カムの他の例を示す図９に対応する展開説明図である。
【図１１】図１の複合筆記具におけるレフィール受けの拡大正面図である。
【図１２】図１１のレフィール受けの拡大平面図である。
【図１３】図１１のレフィール受けの縦断面図である。
【図１４】図１の複合筆記具におけるキャップ本体の拡大正面図である。
【図１５】図１４のキャップ本体の縦断面図である。
【図１６】図１４のキャップの平面図である。
【図１７】図１４のキャップの底面図である。
【符号の説明】
１      軸筒
２      芯タンク（芯繰り出し機構）
３      繰り出しチャック（芯繰り出し機構）
４      チャックリング（芯繰り出し機構）
５      スリーブ（芯繰り出し機構）
６      チャックスプリング（芯繰り出し機構）
７      先具
８      パッキン
９      回転カム
１０    ストッパ筒
１１    ボールペンレフィール（ボールペン機構）
１２    レフィール受け（ボールペン機構）
１３    キャップ
１４    スタイラスチップ
【図１】
0003963768.tif 000002
【図２】
0003963768.tif 000003
【図３】
0003963768.tif 000004
【図４】
0003963768.tif 000005
【図５】
0003963768.tif 000006
【図６】
0003963768.tif 000007
【図７】
0003963768.tif 000008
【図８】
0003963768.tif 000009
【図９】
0003963768.tif 000010
【図１０】
0003963768.tif 000011
【図１１】
0003963768.tif 000012
【図１２】
0003963768.tif 000013
【図１３】
0003963768.tif 000014
【図１４】
0003963768.tif 000015
【図１５】
0003963768.tif 000016
【図１６】
0003963768.tif 000017
【図１７】
0003963768.tif 000018